【事件の表示】
　特願２０１３−１００７５０号「遊技機」拒絶査定不服審判事件〔平成２６年１１月２０日出願公開、特開２０１４−２１７７０５号〕について、次のとおり審決する。
【結　論】
　本件審判の請求は、成り立たない。
【理　由】
第１　手続の経緯 
　本願は、平成２５年５月１０日の出願であって、平成２８年１１月４日に手続補正書が提出され、平成２９年１月１９日付けの拒絶理由通知に対し、同年３月２７日に意見書及び手続補正書が提出され、同年８月７日付け（発送日：８月１５日）で拒絶査定（以下、「原査定」という。）がなされ、これに対して、平成２９年１１月１５日に拒絶査定不服審判の請求がなされると同時に手続補正（以下、「本件補正」という。）がなされたものである。
第２　本件補正についての補正の却下の決定 
［補正の却下の決定の結論］ 
　本件補正を却下する。 
［理由］ 
１．本件補正の概要 
　本件補正は特許請求の範囲の請求項１を補正する内容を含んでおり、平成２９年３月２７日付けの手続補正と本件補正の特許請求の範囲の請求項１の記載はそれぞれ、以下のとおりである（下線部は、補正箇所を示す。）。 
  
（本件補正前：平成２９年３月２７日付け手続補正） 
「【請求項１】
　遊技機の前面部を構成する前面扉と、
　前記前面扉に設けられ、遊技者操作を受付可能な操作受付手段と、
　前記前面扉に設けられ、第１停止位置から第２停止位置に移動可能な可動手段と、
　を備え、
　前記可動手段は、前記第１停止位置から前記第２停止位置に移動することによって、前記操作受付手段に対する遊技者操作を誘導しうる
　ことを特徴とする遊技機。」 
（本件補正後：平成２９年１１月１５日付け手続補正） 
  
「【請求項１】
　遊技機の前面部を構成する前面扉と、
　前記前面扉
のユニット
る
、第
動作
　を備え、
　前記可動手段は、
前記操作受付手段に対する遊技者操作の受付にあたり、
動作
操作誘導演出を実行可能であり、該操作誘導演出において前記可動手段は、前記第１停止位置にあるときには遊技者が視認不能な箇所が視認可能となる
　ことを特徴とする遊技機。」 
２．補正の適否
（以下では、本件補正後や本件補正前を単にそれぞれ「補正後」や「補正前」ともいう。） 
（１）補正後の請求項１は、補正前の請求項１に記載された発明特定事項である「前記前面扉に設けられ」る「操作受付手段」について、「前記前面扉のユニットに設けられる」と特定することにより、補正前の請求項１に記載の「操作受付手段」の配置を限定するものである。 
（２）補正後の請求項１は、補正前の請求項１に記載された発明特定事項である「前記前面扉に設けられ」る「可動手段」について、「前記前面扉のユニットに設けられる」と特定することにより、補正前の請求項１に記載の「可動手段」の配置を限定するものである。また、補正後の請求項１は、「可動手段」について、「第１停止位置から第２停止位置に動作可能な」と特定しているところ、これは、補正前の請求項１に記載の「第１停止位置から第２停止位置に移動可能な」という事項を補正するものであり、その内容において実質的な変更を伴わないものである。
（３）補正後の請求項１は、「前記可動手段は、前記操作受付手段に対する遊技者操作の受付にあたり、前記第１停止位置から前記第２停止位置に動作する操作誘導演出を実行可能であり、該操作誘導演出において前記可動手段は、前記第１停止位置にあるときには遊技者が視認不能な箇所が視認可能となる」と特定することにより、補正前の請求項１に記載された発明特定事項である「可動手段」を限定するものである。 
　そして、補正前の請求項１に記載された発明と、補正後の請求項１に記載される発明とは、産業上の利用分野及び解決しようとする課題が同一であるので、本件補正は、特許法第１７条の２第５項第２号に規定する「特許請求の範囲の減縮」を目的とするものに該当する。 
　また、本件補正は、出願当初の明細書の段落【０８７９】〜【０８８１】、図面【図８２】〜【図８６】の記載に基づいており、いわゆる新規事項を追加するものではない。 
３．独立特許要件 
　そこで、本件補正後の請求項１に記載される発明（以下、「本件補正発明」という。）が特許出願の際独立して特許を受けることができるものであるか否か、すなわち、特許法第１７条の２第６項において準用する同法第１２６条第７項の規定に適合するか否か、について以下検討する。 
（１）本件補正発明 
　本件補正発明は、上記「１．本件補正の概要」において示した次に特定されるとおりのものである（Ａ〜Ｄについては、発明特定事項を分説するため当審で付した。）。 
「Ａ　遊技機の前面部を構成する前面扉と、
　Ｂ　前記前面扉のユニットに設けられる、遊技者操作を受付可能な操作受付手段と、第１停止位置から第２停止位置に動作可能な可動手段と、
　を備え、
　Ｃ　前記可動手段は、前記操作受付手段に対する遊技者操作の受付にあたり、前記第１停止位置から前記第２停止位置に動作する操作誘導演出を実行可能であり、該操作誘導演出において前記可動手段は、前記第１停止位置にあるときには遊技者が視認不能な箇所が視認可能となる
　Ｄ　ことを特徴とする遊技機。」 
（２）刊行物１に記載された事項
　前置報告書において新たに引用され、本願の出願前に頒布された刊行物である特開２００９―８９７６９号公報（以下、「刊行物１」という。）には、図面とともに次の事項が記載されている（下線は当審で付した。）。 
  
　ア　「【００１７】
　このような
スロットマシン１
　
前扉３の上下方向における中央部分は、スロットマシン１の遊技操作を行うための操作部４となっている
　すなわち、操作部４の図１中右端近傍には、前扉３の施錠を行う鍵が差し込まれる鍵穴3Aと、遊技用メダルが投入されるメダル投入口18とが設けられている。
【００１８】
　
操作部４の図１における中央部分には、回転リール40の回転を停止させるストップスイッチ150が設けられている
　イ　「【００２３】
（省略）
　（ストップスイッチ150） 
　
ストップスイッチ150は
相当する回転リール40を停止させる際に、遊技者に押圧操作される被押圧面151Aが形成されているとともに、遊技者に対して前後、換言すると、図２中上下方向に移動可能に設けられている被押圧部151を備えたものである
【００２４】
　このような
ストップスイッチ150には、この被押圧部151を移動可能に支持する本体部152と、被押圧部151の被押圧面151Aに対して、その先端部分153Aが突没可能に設けられている外周部153と、この外周部153を図２中上下方向に駆動する外周部駆動ユニット154と、ストップスイッチ150全体を支持するブラケット部155とが設けられている
　ここで、
ストップスイッチ150は、スロットマシン１の前面を形成している前扉３の前面壁部51の裏側に配置され、各ストップスイッチ150に応じて当該前面壁部51に開口された各操作孔52を通じて、被押圧部151の被押圧面151A及び外周部153の先端部分153Aが前扉３の外側に露出するようになっている
　ウ　「【００２６】
　
外周部153は、被押圧部151を内部に収納する筒状に形成されたもの
　これにより、
外周部153は、外周部駆動ユニット154の作動により、被押圧部151の被押圧面151Aに対して、その先端部分が突没可能に設けられたものとなって
　さらに詳しく説明すると、
外周部153は、外周部駆動ユニット154の図示しないモータを順方向に回転させると、
前面壁部51の内部に没入した没入位置αから、前面壁部51の外側へ突出する突出位置βに向かう方向へ移動するようになって
　エ　「【００５４】
　ここで、ストップスイッチ150を利用する報知演出としては、
三個のストップスイッチ150の押圧操作の順番を報知する報知演出
としては、外周部153の先端部分153Aを移動させることにより、押圧操作すべきストップスイッチ150を指定する
報知演出が採用されている。
　そして、ストップスイッチ演出制御手段23は、演出制御手段22が行った抽選の結果に応じて、複数種類の報知演出のなかから、一の報知演出を選択して実行するものである。換言すると、ストップスイッチ演出制御手段23は、演出制御手段22の抽選結果で選択された報知演出において、予め設定された外周部153の先端部分153Aを移動させるために、外周部駆動ユニット154の動作制御を行うようになっている。
【００５５】
　ここで、前述した複数種類の報知演出としては、一個の外周部153を突出させる報知演出、二個の外周部153を突出させる報知演出、及び、三個の外周部153を突出させる報知演出等が採用できる。
　例えば、
三個のストップスイッチ150のうち、中央に配置されたストップスイッチ150を指定する場合、報知演出を実行する
　 (１)  図５（Ａ）に示すように、
中央に配置されたストップスイッチ150の外周部153のみを没入位置αから突出位置βまで至る途中の中間位置εまで移動させる
報知演出
【００５６】
　この際、ストップスイッチ150の被押圧部151は、外周部153を中間位置εまで突出させても、押圧操作が容易に行えるようになっている。
（省略）」
　オ　「【００７１】
（省略）
　（本実施形態の効果）
　前述のような本実施形態によれば、次のような効果が得られる。
　すなわち、ストップスイッチ150の被押圧部151を内部に収納する筒状に形成されるとともに、当該ストップスイッチ150の被押圧部151に対して突没可能となった外周部153と、この外周部153を駆動して突没させる外周部駆動ユニット154とを設け、その外周部153の先端部分153Aを被押圧部151の被押圧面151Aから突出できるようにしたので、例えば、
対応するストップスイッチ150の外周部153を被押圧部151の被押圧面151Aから突出させることにより、停止すべき回転リール40がどれであるかを遊技者に報知することができ、同時に、押圧操作の誘導をストップスイッチ150で行うことができる
　上記ア〜オの記載事項から、以下の認定事項が導かれる。 
  
（２−ａ）上記ア【００１７】には、「スロットマシン１」が記載されており、上記イ【００２４】には、「スロットマシン１の前面を形成している前扉３」と記載されている。
　そうすると、刊行物１には、「スロットマシン１の前面を形成している前扉３」を備えた「スロットマシン１」が記載されているといえる。
（２−ｂ）上記ア【００１７】には、「前扉３の上下方向における中央部分は、スロットマシン１の遊技操作を行うための操作部４となっている」と記載されており、【００１８】には、「操作部４の図１における中央部分には、回転リール40の回転を停止させるストップスイッチ150が設けられている」と記載されている。
　上記イ【００２３】には、「ストップスイッチ150」は、「相当する回転リール40を停止させる際に、遊技者に押圧操作される被押圧面151Aが形成されているとともに、遊技者に対して前後方向に移動可能に設けられている被押圧部151を備えたものである」と記載されている。
　そうすると、刊行物１には、「前扉３の上下方向における中央部分にあるスロットマシン１の遊技操作を行うための操作部４に設けられており、遊技者に押圧操作される被押圧面151Aが形成されているとともに、遊技者に対して前後方向に移動可能な、ストップスイッチ150の被押圧部151」が記載されているといえる。
（２−ｃ）上記イ【００２４】には、「ストップスイッチ150」には、「被押圧部151の被押圧面151Aに対して、その先端部分153Aが突没可能に設けられている外周部153」が設けられており、「外周部153の先端部分153Aが前扉３の外側に露出するようになっている」ことが記載されている。
　上記ウ【００２６】には、「外周部153は、被押圧部151を内部に収納する筒状に形成されたもの」であり、「外周部153は、外周部駆動ユニット154の作動により、被押圧部151の被押圧面151Aに対して、その先端部分が突没可能に設けられたものとなって」おり、「外周部駆動ユニット154」の「モータを順方向に回転させると」、「前面壁部51の内部に没入した没入位置αから、前面壁部51の外側へ突出する突出位置βに向かう方向へ移動するようになって」いることが記載されている。
　　上記エ【００５５】には、「三個のストップスイッチ150のうち、中央に配置されたストップスイッチ150を指定する場合、報知演出を実行するにあたり」、「中央に配置されたストップスイッチ150の外周部153のみを没入位置αから突出位置βまで至る途中の中間位置εまで移動させる」ことが記載されている。
　そうすると、刊行物１には、「被押圧部151を内部に収納する筒状に形成され、被押圧部151の被押圧面151Aに対して、その先端部分153Aが前扉３の外側に露出するように突没可能になっており、外周部駆動ユニット154の作動により、前面壁部51の内部に没入した没入位置αから、前面壁部51の外側へ突出する突出位置βまで至る途中の中間位置εまで移動可能な、ストップスイッチ150の外周部153」が記載されているといえる。
　
（２−ｄ）上記エ【００５４】には、「三個のストップスイッチ150の押圧操作の順番を報知する報知演出」として、「外周部153の先端部分153Aを移動させることにより、押圧操作すべきストップスイッチ150を指定する」「報知演出」が記載されており、【００５５】には、「三個のストップスイッチ150のうち、中央に配置されたストップスイッチ150を指定する場合」、「中央に配置されたストップスイッチ150の外周部153のみを没入位置αから突出位置βまで至る途中の中間位置εまで移動させ」て「報知演出を実行する」ことが記載されている。
　そして、上記（２−ｃ）で述べたように、「外周部153」の「先端部分153A」が「没入位置α」にあるときには、「外周部153」は「前面壁部51の内部に没入」しており、刊行物１の【図２】から、「先端部分153A」が「没入位置α」にあるときには、「外周部153」の側面部分は遊技者が視認不能であることが読み取れる。また、「外周部153」の「先端部分153A」が「中間位置ε」にあるときには、「その先端部分153Aが前扉３の外側に露出」しており、刊行物１の【図５（Ａ）】から、「外周部153」の側面部分の一部が視認可能となることが読み取れる。
　上記オ【００７１】には、「対応するストップスイッチ150の外周部153を被押圧部151の被押圧面151Aから突出させることにより、停止すべき回転リール40がどれであるかを遊技者に報知することができ、同時に、押圧操作の誘導をストップスイッチ150で行うことができる」と記載されている。
　そうすると、刊行物１には、「三個のストップスイッチ150のうち、中央に配置されたストップスイッチ150を押圧操作すべきストップスイッチであると指定するとき、中央に配置されたストップスイッチ150の外周部153のみについて、その先端部分153Aを没入位置αから突出位置βまで至る途中の中間位置εまで移動させることにより押圧操作の誘導を行い、押圧操作の順番を報知する報知演出を実行する場合があり、先端部分153Aが没入位置αにあるときには、外周部153の側面部分は遊技者が視認不能であり、先端部分153Aが中間位置εにあるときには、外周部153の側面部分の一部が視認可能となること」が記載されているといえる。
　上記（２−ａ）〜（２−ｄ）の認定事項を総合すれば、刊行物１には、以下の発明（以下、「刊行物発明」という。）が記載されていると認められる（ａ〜ｄは発明の構成を分説するため当審で付した。）。 
  
「ａ　　スロットマシン１の前面を形成している前扉３と、
　ｂ１　前扉３の上下方向における中央部分にあるスロットマシン１の遊技操作を行うための操作部４に設けられており、遊技者に押圧操作される被押圧面151Aが形成されているとともに、遊技者に対して前後方向に移動可能な、ストップスイッチ150の被押圧部151と、
　ｂ２　被押圧部151を内部に収納する筒状に形成され、被押圧部151の被押圧面151Aに対して、その先端部分153Aが前扉３の外側に露出するように突没可能になっており、外周部駆動ユニット154の作動により、前面壁部51の内部に没入した没入位置αから、前面壁部51の外側へ突出する突出位置βまで至る途中の中間位置εまで移動可能な、ストップスイッチ150の外周部153と、
を備え、
　ｃ　　三個のストップスイッチ150のうち、中央に配置されたストップスイッチ150を押圧操作すべきストップスイッチであると指定するとき、中央に配置されたストップスイッチ150の外周部153のみについて、その先端部分153Aを没入位置αから突出位置βまで至る途中の中間位置εまで移動させることにより押圧操作の誘導を行い、押圧操作の順番を報知する報知演出を実行する場合があり、先端部分153Aが没入位置αにあるときには、外周部153の側面部分は遊技者が視認不能であり、先端部分153Aが中間位置εにあるときには、外周部153の側面部分の一部が視認可能となる、
　ｄ　　スロットマシン１。」
（３）対比・判断 
　本件補正発明と刊行物発明とを対比する。
　なお、見出しは（ａ）〜（ｄ）とし、刊行物発明の分説に対応させている。 
  
（ａ）刊行物発明の「スロットマシン１」、「前面を形成している」及び「前扉３」は、それぞれ本件補正発明の「遊技機」、「前面部を構成する」及び「前面扉」に相当する。
　したがって、刊行物発明の構成ａである「スロットマシン１の前面を形成している前扉３」は、本件補正発明の構成Ａである「遊技機の前面部を構成する前面扉」に相当する。
（ｂ１）刊行物発明の「前扉３の上下方向における中央部分にあるスロットマシン１の遊技操作を行うための操作部４」は、操作を行う構成単位であるから、本件補正発明の「前記前面扉のユニット」に相当する。
　また、刊行物発明の「遊技者に押圧操作される被押圧面151Aが形成されているとともに、遊技者に対して前後方向に移動可能な、ストップスイッチ150の被押圧部151」は、本件補正発明の「遊技者操作を受付可能な操作受付手段」に相当する。 
　よって、刊行物発明の構成ｂ１である「前扉３の上下方向における中央部分にあるスロットマシン１の遊技操作を行うための操作部４に設けられており、遊技者に押圧操作される被押圧面151Aが形成されているとともに、遊技者に対して前後方向に移動可能な、ストップスイッチ150の被押圧部151」は、本件補正発明の構成Ｂのうちの「前記前面扉のユニットに設けられる、遊技者操作を受付可能な操作受付手段」に相当する。 
 
（ｂ２）刊行物発明の「ストップスイッチ150の外周部153」は、「操作部４」に設けられた「被押圧部151」を「内部に収納する筒状に形成され」たものであるから、「前扉３の上下方向における中央部分にあるスロットマシン１の遊技操作を行うための操作部４」に設けられたものであるといえる。
　また、刊行物発明の「ストップスイッチ150の外周部153」は、「外周部駆動ユニット154の作動により」、「移動可能」であるから、本件補正発明の「動作可能な可動手段」に相当する。
　したがって、刊行物発明の「被押圧部151を内部に収納する筒状に形成され」た「ストップスイッチ150の外周部153」は、本件補正発明の「前記前面扉のユニットに設けられる」、「動作可能な可動手段」に相当する。
　そして、刊行物発明の「ストップスイッチ150の外周部153」は、「前面壁部51の内部に没入した没入位置αから、前面壁部51の外側へ突出する突出位置βまで至る途中の中間位置εまで移動可能」であるところ、この「前面壁部51の内部に没入した没入位置α」及び「前面壁部51の外側へ突出する突出位置βまで至る途中の中間位置ε」は、本件補正発明の「第１停止位置」及び「第２停止位置」にそれぞれ相当する。
　よって、刊行物発明の構成ｂ２である「被押圧部151を内部に収納する筒状に形成され、被押圧部151の被押圧面151Aに対して、その先端部分153Aが前扉３の外側に露出するように突没可能になっており、外周部駆動ユニット154の作動により、前面壁部51の内部に没入した没入位置αから、前面壁部51の外側へ突出する突出位置βまで至る途中の中間位置εまで移動可能な、ストップスイッチ150の外周部153」は、本件補正発明の構成Ｂのうちの「前記前面扉のユニットに設けられる、第１停止位置から第２停止位置に動作可能な可動手段」に相当する。  
（ｃ）刊行物発明の「中央に配置されたストップスイッチ150の外周部153」について、「押圧操作の誘導を行い、押圧操作の順番を報知する報知演出を実行する」ことは、本件補正発明の「前記可動手段は、前記操作受付手段に対する遊技者操作の受付にあたり、操作誘導演出を実行可能」であることに相当する。
　また、上記（ｂ２）で検討したとおり、刊行物発明の「前面壁部51の内部に没入した没入位置α」及び「前面壁部51の外側へ突出する突出位置βまで至る途中の中間位置ε」は、本件補正発明の「第１停止位置」及び「第２停止位置」にそれぞれ相当するから、刊行物発明の「没入位置αから突出位置βまで至る途中の中間位置εまで移動させることにより押圧操作の誘導を行い、押圧操作の順番を報知する報知演出を実行する」ことは、本件補正発明の「前記第１停止位置から前記第２停止位置に動作する操作誘導演出を実行可能」であることに相当する。
　そして、刊行物発明では、「先端部分153Aが没入位置αにあるときには、外周部153の側面部分は遊技者が視認不能であ」るから、「先端部分153Aが没入位置αにあるとき」の「外周部153の側面部分」は、本件補正発明の「前記第１停止位置にあるときには遊技者が視認不能な箇所」に相当し、刊行物発明の「先端部分153Aが中間位置εにあるときには、外周部153の側面部分の一部が視認可能となる」ことは、本件補正発明の「遊技者が視認不能な箇所が視認可能となる」ことに相当する。
　よって、刊行物発明の構成ｃである「三個のストップスイッチ150のうち、中央に配置されたストップスイッチ150を押圧操作すべきストップスイッチであると指定するとき、中央に配置されたストップスイッチ150の外周部153のみについて、その先端部分153Aを没入位置αから突出位置βまで至る途中の中間位置εまで移動させることにより押圧操作の誘導を行い、押圧操作の順番を報知する報知演出を実行する場合があり、先端部分153Aが没入位置αにあるときには、外周部153の側面部分は遊技者が視認不能であり、先端部分153Aが中間位置εにあるときには、外周部153の側面部分の一部が視認可能となる」ことは、本件補正発明の構成Ｃである「前記可動手段は、前記操作受付手段に対する遊技者操作の受付にあたり、前記第１停止位置から前記第２停止位置に動作する操作誘導演出を実行可能であり、該操作誘導演出において前記可動手段は、前記第１停止位置にあるときには遊技者が視認不能な箇所が視認可能となる」ことに相当する。
（ｄ）刊行物発明の構成ｄである「スロットマシン１。」は、本件補正発明の構成Ｄである「遊技機。」に相当する。 
 
　上記（ａ）〜（ｄ）の対比により、本件補正発明と刊行物発明とは、 
  
「Ａ　遊技機の前面部を構成する前面扉と、
　Ｂ　前記前面扉のユニットに設けられる、遊技者操作を受付可能な操作受付手段と、第１停止位置から第２停止位置に動作可能な可動手段と、
　を備え、
　Ｃ　前記可動手段は、前記操作受付手段に対する遊技者操作の受付にあたり、前記第１停止位置から前記第２停止位置に動作する操作誘導演出を実行可能であり、該操作誘導演出において前記可動手段は、前記第１停止位置にあるときには遊技者が視認不能な箇所が視認可能となる
　Ｄ　遊技機。」 
  
である点で一致し、相違するところはない。 
　
　よって、本件補正発明と刊行物発明との間に発明特定事項の差異はなく、本件補正発明は、刊行物発明であるから、特許法第２９条第１項第３号に該当し、特許出願の際独立して特許を受けることができない。
４．むすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１．本願発明 
　本件補正は、上記第２において述べたとおり却下されたので、本願の請求項１に係る発明（以下、「本願発明」という。）は、平成２９年３月２７日付けの手続補正書により補正された、上記第２の１．で本件補正前として記載された次のとおりのものである。
「Ａ　遊技機の前面部を構成する前面扉と、
　Ｂ　前記前面扉に設けられ、遊技者操作を受付可能な操作受付手段と、
　Ｃ　前記前面扉に設けられ、第１停止位置から第２停止位置に移動可能な可動手段と、
　を備え、
　Ｄ　前記可動手段は、前記第１停止位置から前記第２停止位置に移動することによって、前記操作受付手段に対する遊技者操作を誘導しうる
　Ｅ　ことを特徴とする遊技機。」 
２．原査定における拒絶の理由の概要
　原査定の拒絶の理由は、
理由１（新規性）
　この出願の請求項１に係る発明は、その出願前に日本国内において、頒布された以下の引用文献１に記載された発明であるから、特許法第２９条第１項第３号に該当し、特許を受けることができない。
理由２（進歩性）
　この出願の請求項１に係る発明は、その出願前に日本国内において、頒布された以下の引用文献１に記載された発明に基いて、その出願前にその発明の属する技術の分野における通常の知識を有する者が容易に発明をすることができたものであるから、特許法第２９条第２項の規定により特許を受けることができない。
というものである。
　引用文献１．特開２０１２−１３９４８５号公報
３．引用文献に記載された事項
　原査定の拒絶の理由に引用された引用文献１には、図面とともに次の事項が記載されている（下線は当審で付した。）。 
 
　カ　「【００２６】
　図１に示すように、
遊技機（以下、パチンコ機ともいう）１は、そのパチンコ機１の外郭を形成する額縁状の外枠２を備えている。外枠２には、ヒンジ部２ａ，２ｂを介して前面側に向かって片開き可能な内枠３が支持されている。内枠３には、同様にヒンジ部２ａ，２ｂを介して前面側に向かって片開き可能な前枠４が支持されている
【００２７】
　前枠４は、遊技盤の遊技領域に対応した窓部４ａが厚み方向に貫通形成されて開口している。そして、前枠４の後面側には、窓部４ａを閉塞するように透明板４ｂが着脱可能に配置されている。透明板４ｂは、前枠４が内枠３に対して閉状態のときに該窓部４ａを介して遊技領域を視認可能としている。また、
前枠４の前面下側には、貸球や賞球等の遊技球を一時的に貯留し、その貯留した遊技球を整流して球発射装置に供給する球受皿５
が設けられている
球受皿５の上面には、外壁部から一部を露出する構成で遊技機用操作スイッチ１０が設けられている。遊技機用操作スイッチ１０は、遊技者が操作するものであ
【００２８】
　なお、本明細書において、透明板４ｂ（遊技盤の盤面）と直交する方向が前後方向であり、遊技者側が前方側、遊技盤側（パチンコ機１の奥側）が後方側としている。また、透明板４ｂ（遊技盤の盤面）に沿う態様で遊技領域を遊技球が流下する方向を上下方向（鉛直方向）としている。また、これら前後方向及び上下方向と直交する方向を左右方向としている。」
　キ　「【００３０】
　
操作スイッチ１０は、
パチンコ機１での待機状態を含む遊技状態に応じて、遊技者の所定の人為的な操作が可能に可動する操作部２０と、その操作部２０を可動可能に保持する保持部３０とを備えたスイッチ本体１１
を備えている
【００３１】
　そして、
操作スイッチ１０は、図２（ｂ）の二点鎖線で示すように、遊技状態に応じて保持部３０がモータ５０の駆動力によって可動されることにより、操作部２０の所定の人為的な操作に基づく可動とは独立した状態で、当該操作部２０と保持部３０とが一体的に所定の態様で可動され、
スイッチ本体１１（保持部３０）は、左右方向に直線往復移動するものであり、二点鎖線は、保持部３０の端部が左右に移動した状態を示すものである
　ク　「【００４８】
　次に、
操作スイッチ１０の作動
液晶表示部の表示画面でリーチ演出時や大当たり時等の所定の遊技状態となったときに、遊技者に対する演出効果を高めるため、表示画面で操作部２０の押圧移動操作を遊技者に促すとともに、スイッチ本体１１が左右方向に連続又は間欠的に往復動（可動）する（図２（ｂ）参照）ように制御されている。または、表示画面で操作部２０の押圧移動操作を遊技者に促す代わりに、操作スイッチ１０が左右方向に往復動して操作部２０の押圧移動操作を促すように制御してもよい
【００４９】〜【００５０】
（省略）
【００５１】
　続いて、モータ５０が所定の角度範囲、速度及び時間でモータ軸５１を往復回転するように駆動制御され、図８（ａ）に示すように、
スイッチ本体１１が配置孔４２の一端側に位置する左側位置と、
スイッチ本体１１が配置孔４２の他端側に位置する右側位置との間を、所定の可動範囲、速度及び時間で伝達機構６０を介して左右方向に往復移動される
　ケ　「【００５９】
　なお、本実施形態では、
スイッチ本体１１の初期位置が、配置孔４２の中央位置としているが、これに限らず一端側としてもよい
　上記カ〜ケの記載事項から、以下の認定事項が導かれる。 
  
（３−ａ）上記カ【００２６】には、「遊技機（以下、パチンコ機ともいう）１」と記載されており、「そのパチンコ機１の外郭を形成する額縁状の外枠２を備えている。外枠２には、ヒンジ部２ａ，２ｂを介して前面側に向かって片開き可能な内枠３が支持されている。内枠３には、同様にヒンジ部２ａ，２ｂを介して前面側に向かって片開き可能な前枠４が支持されている。」と記載されている。
　そうすると、引用文献１には、「パチンコ機１」及び「パチンコ機１の前面側に向かって片開き可能な前枠４を備えること」が記載されているといえる。
（３−ｂ）上記カ【００２７】には、「前枠４の前面下側には、・・・球受皿５・・・が設けられている。そして、球受皿５の上面には、外壁部から一部を露出する構成で遊技機用操作スイッチ１０が設けられている。遊技機用操作スイッチ１０は、遊技者が操作するものであり」と記載されている。
　また、上記キ【００３０】には、「操作スイッチ１０は、・・・パチンコ機１での待機状態を含む遊技状態に応じて、遊技者の所定の人為的な操作が可能に可動する操作部２０と、・・・を備えている。」と記載されている。
　そうすると、引用文献１には、「前枠４に設けられ、遊技者の所定の人為的な操作が可能に可動する、遊技機用操作スイッチ１０の操作部２０を備えること」が記載されているといえる。
（３−ｃ）上記キ【００３０】には、「操作スイッチ１０は、・・・パチンコ機１での待機状態を含む遊技状態に応じて、遊技者の所定の人為的な操作が可能に可動する操作部２０と、その操作部２０を可動可能に保持する保持部３０とを備えたスイッチ本体１１と、・・・を備えている。」と記載されている。
　また、【００３１】には、「操作スイッチ１０は、図２（ｂ）の二点鎖線で示すように、遊技状態に応じて保持部３０がモータ５０の駆動力によって可動されることにより、操作部２０の所定の人為的な操作に基づく可動とは独立した状態で、当該操作部２０と保持部３０とが一体的に所定の態様で可動され、・・・スイッチ本体１１（保持部３０）は、左右方向に直線往復移動するものであり、二点鎖線は、保持部３０の端部が左右に移動した状態を示すものである。」と記載されている。
　上記ク【００４８】には、「スイッチ本体１１が左右方向に連続又は間欠的に往復動（可動）する（図２（ｂ）参照）ように制御されている。」と記載されている。
　上記ク【００５１】には、「スイッチ本体１１が配置孔４２の一端側に位置する左側位置と、・・・スイッチ本体１１が配置孔４２の他端側に位置する右側位置との間を、所定の可動範囲、速度及び時間で伝達機構６０を介して左右方向に往復移動される。」と記載されている。
　上記ケ【００５９】には、「スイッチ本体１１の初期位置が、配置孔４２の中央位置としているが、これに限らず一端側としてもよい。」と記載されている。
　そうすると、引用文献１には、「前枠４に設けられ、配置孔４２の一端側に位置する左側位置と、他端側に位置する右側位置との間を、配置孔４２の一端側を初期位置として、左右方向に間欠的に可動する遊技機用操作スイッチ１０のスイッチ本体１１（保持部３０）を備えること」が記載されているといえる。
（３−ｄ）上記ク【００４８】には、「液晶表示部の表示画面でリーチ演出時や大当たり時等の所定の遊技状態となったときに、遊技者に対する演出効果を高めるため、表示画面で操作部２０の押圧移動操作を遊技者に促すとともに、スイッチ本体１１が左右方向に連続又は間欠的に往復動（可動）する（図２（ｂ）参照）ように制御されている。または、表示画面で操作部２０の押圧移動操作を遊技者に促す代わりに、操作スイッチ１０が左右方向に往復動して操作部２０の押圧移動操作を促すように制御してもよい。」と記載されている。
　そうすると、引用文献１には、「液晶表示部の表示画面でリーチ演出時や大当たり時等の所定の遊技状態となったときに、遊技者に対する演出効果を高めるため、スイッチ本体１１が左右方向に間欠的に可動して操作部２０の押圧移動操作を促すようにすること」が記載されているといえる。
　上記（３−ａ）〜（３−ｄ）の認定事項を総合すれば、引用文献１には、以下の発明（以下、「引用発明」という。）が記載されていると認められる（ａ〜ｅは発明の構成を分説するため当審で付した。）。 
  
「ａ　パチンコ機１の前面側に向かって片開き可能な前枠４と、
　ｂ　前枠４に設けられ、遊技者の所定の人為的な操作が可能に可動する、遊技機用操作スイッチ１０の操作部２０と、
　ｃ　前枠４に設けられ、配置孔４２の一端側に位置する左側位置と、他端側に位置する右側位置との間を、配置孔４２の一端側を初期位置として、左右方向に間欠的に可動する遊技機用操作スイッチ１０のスイッチ本体１１（保持部３０）と、
を備え、
　ｄ　液晶表示部の表示画面でリーチ演出時や大当たり時等の所定の遊技状態となったときに、遊技者に対する演出効果を高めるため、スイッチ本体１１が左右方向に間欠的に可動して操作部２０の押圧移動操作を促すようにする、
　
　ｅ　パチンコ機１。」　 
４．対比・判断 
　本願発明と引用発明とを対比する。
　なお、見出しは（ａ）〜（ｅ）とし、引用発明の分説に対応させている。
（ａ）引用発明の「パチンコ機１の前面側」及び「片開き可能な前枠４」は、それぞれ本願発明の「遊技機の前面部」及び「前面扉」に相当する。
　したがって、引用発明の構成ａである「パチンコ機１の前面側に向かって片開き可能な前枠４」は、本願発明の構成Ａである「遊技機の前面部を構成する前面扉」に相当する。
（ｂ）引用発明の「遊技者の所定の人為的な操作が可能に可動する」ことは、本願発明の「遊技者操作を受付可能な」ことに相当するから、引用発明の「前枠４に設けられ」た「遊技機用操作スイッチ１０の操作部２０」は、本願発明の「前記前面扉に設けられ」た「操作受付手段」に相当する。
　したがって、引用発明の構成ｂである「前枠４に設けられ、遊技者の所定の人為的な操作が可能に可動する、遊技機用操作スイッチ１０の操作部２０」は、本願発明の構成Ｂである「前記前面扉に設けられ、遊技者操作を受付可能な操作受付手段」に相当する。
（ｃ）引用発明の「前枠４に設けられ」た「遊技機用操作スイッチ１０のスイッチ本体１１（保持部３０）」は、「左右方向に・・・可動する」ことから、本願発明の「前記前面扉に設けられ」た「可動手段」に相当する。
　また、引用発明の「配置孔４２の一端側に位置する左側位置」と「他端側に位置する右側位置」について、「スイッチ本体１１」は「一端側を初期位置として、左右方向に間欠的に可動する」ことから、上記「配置孔４２の一端側に位置する左側位置」及び「他端側に位置する右側位置」は、それぞれ本願発明の「第１停止位置」及び「第２停止位置」に相当する。
　そして、引用発明では、「スイッチ本体１１」は「一端側を初期位置として、左右方向に間欠的に可動」しており、このことは、本願発明の「第１停止位置から第２停止位置に移動可能」であることに相当する。
　したがって、引用発明の構成ｃである「前枠４に設けられ、配置孔４２の一端側に位置する左側位置と、他端側に位置する右側位置との間を、配置孔４２の一端側を初期位置として、左右方向に間欠的に可動する遊技機用操作スイッチ１０のスイッチ本体１１（保持部３０）」は、本願発明の構成Ｃである「前記前面扉に設けられ、第１停止位置から第２停止位置に移動可能な可動手段」に相当する。
（ｄ）引用発明では、「遊技者に対する演出効果を高めるため、スイッチ本体１１が・・・操作部２０の押圧移動操作を促すようにする」ことから、このことは、本願発明の「前記可動手段」が「前記操作受付手段に対する遊技者操作を誘導しうる」ことに相当する。
　そして、上記（ｃ）で検討したとおり、引用発明では、「スイッチ本体１１」は、「配置孔４２の一端側に位置する左側位置」を「初期位置として」、「他端側に位置する右側位置」に「間欠的に可動」することによって、「操作部２０の押圧移動操作を促す」ものであるところ、引用発明の「配置孔４２の一端側に位置する左側位置」及び「他端側に位置する右側位置」は、それぞれ本願発明の「第１停止位置」及び「第２停止位置」に相当するから、引用発明の構成ｄである「液晶表示部の表示画面でリーチ演出時や大当たり時等の所定の遊技状態となったときに、遊技者に対する演出効果を高めるため、スイッチ本体１１が左右方向に間欠的に可動して操作部２０の押圧移動操作を促すようにする」ことは、本願発明の構成Ｄである「前記可動手段は、前記第１停止位置から前記第２停止位置に移動することによって、前記操作受付手段に対する遊技者操作を誘導しうる」ことに相当する。
（ｅ）引用発明の構成ｅである「パチンコ機１。」は、本願発明の構成Ｅである「遊技機。」に相当する。 
　上記（ａ）〜（ｅ）の対比により、本願発明と引用発明とは、 
  
「Ａ　遊技機の前面部を構成する前面扉と、
　Ｂ　前記前面扉に設けられ、遊技者操作を受付可能な操作受付手段と、
　Ｃ　前記前面扉に設けられ、第１停止位置から第２停止位置に移動可能な可動手段と、
　を備え、
　Ｄ　前記可動手段は、前記第１停止位置から前記第２停止位置に移動することによって、前記操作受付手段に対する遊技者操作を誘導しうる
　Ｅ　遊技機。」 
  
である点で一致し、相違するところはない。 
　ここで、審判請求書において、請求人は、
「引用文献１には、段落［００４８］に「操作スイッチ１０が左右方向に往復動して操作部２０の押圧移動操作を促すように制御してもよい。」との記載がございます。また、図２の記載を参酌しても、操作スイッチの左右方向の往復動は、停止している場合の停止位置を挟んで左右方向に往復動しております。これらの記載から、引用文献１における操作スイッチによる操作部の押圧移動操作の誘導は、操作スイッチの位置が異なっていることによって行っているのではなく、停止している状態であった操作スイッチが、左右方向に往復動するというような左右に移動している状態となることによって誘導を行っていることは明らかであります。また、引用文献１における操作部の押圧移動操作の誘導は、上記の操作スイッチの左右方向への往復動のみが記載されており、それ以外の手法については記載も示唆もされておりません。 
　一方、本願発明は、可動手段の停止位置の違いによって操作受付手段への操作の誘導を行っており、遊技者の操作受付手段に対する操作の誘導の手法が、引用文献１に記載されたものとはまったく異なっております。 
　原審の審査官殿は、拒絶査定の備考において、「ここで、操作スイッチ１０の左右方向への往復動において、左右両端に操作スイッチ１０が位置した時は前記操作スイッチ１０は一時停止することは、技術的に自明なことであり、（１）左端の一時停止位置、（２）右端の一時停止位置は、本願発明の（１）「第１停止位置」、（２）「第２停止位置」に相当する」とされております。 
　しかしながら、仮に、操作スイッチの左右方向への往復動において、左右両端に操作スイッチが位置した時は前記操作スイッチが一時停止することが技術的に自明であったとしても、引用発明においては、操作スイッチが、停止状態から、左右方向に往復動するというような左右に移動している状態となることによって誘導を行っているものであって、操作スイッチが第１停止位置から第２停止位置に移動することによって、遊技者操作を誘導しているものではありません。 」
と主張している。
（「４．本願発明が特許されるべき理由」を参照） 
　この主張について検討すると、上記（ｃ）において述べたように、引用発明では、スイッチ本体１１は配置孔４２の一端側に位置する左側位置を初期位置として、他端側に位置する右側位置との間で、左右方向に間欠的に可動しており、上記「間欠的」という表現から、引用発明は、スイッチ本体１１が一端側に位置する左側位置を初期位置とし、他端側に位置する右側位置を終点位置とした一方向のみに移動することも含むものと認められる。そして、その場合の「初期位置」や「終点位置」は、一方向のみの移動であることから、左右往復動における時間的に瞬時の間に停止するような一時的な停止位置ではなく、ある程度継続した時間、停止し続ける確定的な停止位置と解すべきものである。
　そうすると、引用文献１においては、スイッチ本体１１が左右方向に往復動して操作部２０の押圧移動操作を促すことのみが開示されているのではなく、一方向のみの移動によって、その停止位置が異なっていることにより操作部２０の押圧移動操作を促すことも開示されているというべきであって、請求人の上記主張を採用することはできない。
　なお、本願発明では、構成Ｄにおいて「前記可動手段は、前記第１停止位置から前記第２停止位置に移動することによって、前記操作受付手段に対する遊技者操作を誘導しうる」としており、「前記第１停止位置から前記第２停止位置に移動すること」には、左右方向に往復動することが排除されるものではないから、引用文献１において、スイッチ本体１１が左右方向に往復動して操作部２０の押圧移動操作を促すことは、本願発明の上記構成Ｄに相当するということもでき、いずれにしても、請求人の上記主張は採用されない。
第４　むすび
　以上のとおりであるから、本願発明と引用発明との間に発明特定事項の差異はなく、本願発明は、引用発明であるから、特許法第２９条第１項第３号に該当し、特許を受けることができない。
　したがって、本願は拒絶すべきものである。 
  
　よって、結論のとおり審決する。